(57)【特許請求の範囲】
【請求項１】
ねじ付きネック（３）を有するボトル（２）であって、
前記ボトル（２）内に製品を放出する放出装置（４，９）を備えており、前記放出装置
（４、９）が、
ａ）キャップ（４）であって、
ａ１）前記ボトル（２）の前記ねじ付きネック（３）に螺着する雌ねじ部（５）と、
ａ２）前記雌ねじ部（５）と同軸上に位置しており、下端部（６１）が前記ボトル（
２）の前記ネック（３）内に突出して、底壁（７）によって閉じた実質的な筒状体（６）と、
ａ３）前記筒状体の頂部に引裂用リング（１２）を介して結合したカラー（１４）と
、を含むキャップ（４）と、
ｂ）前記筒状体（６）内に挿入された中空ピストン（９）であって、
ｂ１）開いた下端部（９１）と、前記カラー（１４）内に収容するのに適した頭部（
９２）と、を有しており、
ｂ３）前記引裂用リング（１２）が取り除かれて、前記カラー（１４）が引き下げら
れた後に、前記キャップ（４）の前記底壁（７）を破断するのに適しており、
ｂ４）前記実質的な筒状体（６）の前記底壁（７）と共に、前記ボトル内に放出され
る製品を収容するチャンバーを形成している、中空ピストン（９）と、
を含む、ボトル（２）において、
−前記中空ピストン（９）の前記下端部（９１）が、前記底壁（７）によって形成され
る平面に対して実質的に傾いたプロファイルを有しており、
−前記底壁（７）が完全に外れる前に前記中空ピストン（９）のストロークを停止させ
、かつ、前記ストロークの終わりに前記中空ピストン（９）が回転しないようにするのに
適した手段（６９，９９）が設けられており、
前記手段が、
−前記中空ピストン（９）の前記頭部（９２）の下方に設けられた円弧溝（９９）と、
−前記筒状体（６）の上縁部から突出した歯部（６９）と、
を具備する、ボトル（２）。
【請求項２】
請求項１に記載のボトル（２）において、前記ピストン（９）の前記下端部（９１）がナイフの刃のような形状のプロファイルを有している、ボトル。
【発明の詳細な説明】
【技術分野】
【０００１】
混合されるべき物質をボトル内の他の物質から隔離して保持可能な放出装置を備えたボトルについて説明する。
【背景技術】
【０００２】
顆粒または粉末形態の製品、例えば、茶、オレンジフレーバーのソフトドリンク、コーヒー等のフリーズドライ製品を、消費時に水に加えて用いることが知られている。
【０００３】
詳細には、即席で飲料を作ることができるように、水に加えられる顆粒または粉末の形態の製品を収容した放出装置を備える、水または他種の液体で充填されたボトルが知られている。
【０００４】
例えば、特許文献１には、顆粒または粉末の形態の内容物をボトル内に放出するのに適した放出用キャップを備えたボトルが開示されている。
【０００５】
特許文献２には、ねじ付きネックを有するボトルが開示されており、このねじ付きネックに螺着するキャップに、顆粒または粉末形態の製品を収容した中空ピストンを挿入するためのチャンバーが形成されている。
【０００６】
前記ピストンを押圧することにより、底壁が破断され、中空ピストンの収容物が前記ボトル内に放出される。
【先行技術文献】
【特許文献】
【０００７】
【特許文献１】米国特許第４２２１２９１号明細書
【特許文献２】ＭＩ２００８Ｕ００００１５６
【発明の概要】
【発明が解決しようとする課題】
【０００８】
しかしながら、現在知られている解決手段には幾つかの欠点がある。
【０００９】
例えば、特許文献２に開示された装置には、キャップの底壁がボトル内に落下し、ボトルの中身を飲む人間にとって危険な状況を招きかねないという欠点がある。
【００１０】
本発明の目的は、従来技術の欠点の少なくとも一部、特に、前述した欠点を解決する解決手段を提案することである。
【００１１】
本発明の他の目的は、容易に実施可能で、既に市場に出回っているボトルに応用でき、費用効率が高く、エンドユーザにとっても使用し易い解決手段を提案することである。
【課題を解決するための手段】
【００１２】
上記課題は、請求項１に記載のボトルによって解決される。本発明の好ましい構成は、請求項２に記載されている。
【００１３】
特許請求の範囲に記載されたボトルの一実施形態を、添付の図面を参照しながら以下で説明する。
【図面の簡単な説明】
【００１４】
【図１】使用される前のボトル用放出装置を示す図である。
【図２】図１の放出装置が設けられたボトルを示す図である。
【図３】図１と同じ装置の断面図である。
【図４】使用中の放出装置、すなわち、該装置内に収容された粉末、顆粒または液体形態の製品をボトル内に放出中の放出装置を示す、図３と同様の断面図である。
【図５】図１、図３および図４の放出装置の詳細図である。
【図６】図１の放出装置が設けられたボトルの一部を示し、該放出装置は使用時の放出装置、すなわち、引裂用リングの引き裂き時の放出装置を示す図である。
【図７】図１の放出装置が設けられたボトルの一部を示し、該放出装置は使用時の放出装置、すなわち、該装置内に収容された粉末、顆粒または液体の形態の製品をボトル内に放出中の放出装置を示す図である。
【発明を実施するための形態】
【００１５】
符号「２」は、水または水ベースの溶液を収容した、延在軸心Ｘに沿って延びるボトルを表す。
【００１６】
ボトル２は、ねじ付きのネック３を有するタイプのＰＥＴ製の従来のボトル（あるいは、他種の材料からなる容器）であってもよい。ボトル２は、製品（例えば、粉末製品）をボトルそれ自体の中に放出するのに適した放出装置４，９を備える。
【００１７】
ねじ山付きのネック３は、ＢＰＦタイプ／ＰＣＯタイプであってもよいし、３本のねじ山を端部に有するタイプであってもよいし、ＰＥＴ製のボトルの製造で一般的に適用される他の規格のものであってもよいし、他種の容器のネックのねじ山に適用される任意の他の規格のものであってもよい。
【００１８】
放出装置４，９は、雌ねじ部５を有するキャップ４を具備する。雌ねじ部５は、ボトル２の延在軸心Ｘと同軸になるようにボトル２のネック３に螺着する。
【００１９】
キャップ４は、さらに、雌ねじ部５と実質的および／または包括的（substantially and/or generically) に同軸上に位置する、包括的に筒状である構造体（generically tubular element）６を含む。この筒状体６は、円形クラウンの形状をした結合要素４５を介して、雌ねじ部５に結合している。
【００２０】
筒状体６は、ボトル２のネック３内に突出し、雌ねじ部５の内側にある下端部６１、および雌ねじ部５から外に出た上端部６２を有する。
【００２１】
筒状体６は、その下端部６１に、軸心Ｘと実質的に直交する平面上に延在する底壁７を有する。
【００２２】
筒状体６の上端部６２は、引裂用リング１２を介して筒状体６に結合しているカラー（collar）１４を端部に有している。
【００２３】
さらに、筒状体６内には、開いた下端部９１および閉じた頭部９２を有する中空ピストン（hollow piston）９が挿入されている。
【００２４】
カラー１４の内部プロファイルは、中空ピストン９の頭部９２のプロファイルにマッチしており、このピストン９の頭部９２を収容することができる。これにより、ピストン９が偶発的に前進運動するのを防ぐことができる。
【００２５】
ピストンの外表面には、少なくとも１つの円形突部９５が設けられている。円形突部９５は、筒状体６の内表面に形成された少なくとも１つの円形突部６５と干渉するのに適しており、偶発的に抜け出すのを防ぐことができる。
【００２６】
中空ピストン９は、筒状体６の底壁７と共に、ボトル内に放出される製品（例えば、粉末、顆粒または液体の形態の製品）を収容するチャンバー１０を形成している。
【００２７】
この目的のために、中空ピストン９は、キャップ４の筒状体６の底壁７を破断するのに適している。これにより、収容物をボトル２内に放出することができる。
【００２８】
ピストン９を押圧してキャップ４の底壁７を破断するには、まず、引裂用リング１２を引き裂いて、カラー１４を引き下げる（remove the collar 14）必要がある。これにより、筒状体６の上縁部を下降させることが可能になる。
【００２９】
中空ピストン９の下端部９１は、底壁７によって形成される平面に対して実質的および／または一般的（substantially and/or generally）に傾いたプロファイルを有している。この特徴により、回転扉のように、徐々に底壁を開けることができる。
【００３０】
さらに、底壁７が完全に外れる前に中空ピストン９のストロークを停止させるのに適した手段６９，９９が設けられている。これにより、ピストンの軸方向運動だけでなくピストンの回転も防ぐことができる。
【００３１】
かくして、底壁７は、ヒンジとして機能する少なくとも１５°の円弧状部を介して、キャップ４の筒状体６の下端部６１に結合した状態を維持することができる。
【００３２】
中空ピストン９の回転を停止させる構成により、慣れていないユーザが、ピストン９を回転させて筒状体６の底壁７を完全に取り外してしまい、これがボトル内に落下することを防ぐ。
【００３３】
図示の実施形態において、中空ピストン９を停止させるのに適した手段６９，９９は、中空ピストン９の頭部９２の下方に設けられた円弧溝（circular groove）９９によって構成され、この溝９９には、筒状体６の上縁部から突出する歯部６９が係合している。
【００３４】
歯部６９により、ピストン９の抜出し及び回転が防止されるので、底壁７が完全に外れてボトル２内に落下するのを防ぐ。
【００３５】
底壁７の外縁の環状部分は肉薄なので、破断動作を容易に行うことができる。
【００３６】
ピストン９の下端部はナイフ刃のような形状をしているので、底壁７の破断をさらに容易に行うことができる。
【００３７】
製品をボトル２内に放出した後、ユーザはキャップ４を回して外すことにより、ボトル２の中身をグラスに注ぐことができる。
【００３８】
キャップ４の雌ねじ部５は、ボトル２のネック３に連結したリング１５に対し、取外し可能に結合している。
【００３９】
リング１５は、ボトル２が未開封であることの証明になるので、不正開封防止シールの機能を果たす。
【図１】
0005607268.tif 000002
【図２】
0005607268.tif 000003
【図３】
0005607268.tif 000004
【図４】
0005607268.tif 000005
【図５】
0005607268.tif 000006
【図６】
0005607268.tif 000007
【図７】
0005607268.tif 000008